(57)【特許請求の範囲】
【請求項１】
廃石膏ボ−ド破砕処理装置１０であって、処理されるべき廃石膏ボードを搬送するコンベア１１と、コンベア１１によって運ばれた廃石膏ボードを分断し破砕する破砕機１２と、破砕機１２によって分断し破砕された廃石膏ボード破砕物を更に細かに破砕すると同時に石膏部分と紙部分とを互いに分離する分離機１３と、石膏部分と紙部分とに分離された廃石膏ボード破砕物を石膏部分と紙部分とに選別する選別機１６と、を有し、
破砕機１２が一対のロータ４１、４２から成る破砕手段４０を有しており、これらのロータは互いに隣接して並置し、廃石膏ボードがこれらのロータのニップ部において破砕され、分離機１３が円筒室５１とその中で回転する回転体５２とにより構成されており、
該回転体５２が、中央の回転軸６０と、その長手方向に間隔を置いて配置した突出片６１と、該突出片６１の先端部を連結するように配置された分離刃６２と、により構成されている、廃石膏ボードを破砕し粒度別に分別する廃石膏ボ−ド破砕分別処理装置１０。
【請求項２】
廃石膏ボード破砕処理装置１０であって、処理されるべき廃石膏ボードを搬送するコンベア装置１１と、該コンベア装置１１によって運ばれた廃石膏ボードを分断し破砕する破砕機１２と、破砕機１２によって分断し破砕された廃石膏ボード破砕物を更に細かに破砕すると同時に石膏部分と紙部分とを互いに分離する分離機１３と、石膏部分と紙部分とに分離された廃石膏ボード破砕物を分離機１３から搬出するための別のコンベア装置と、該別のコンベア装置によって搬出された廃石膏ボード破砕物を石膏部分と紙部分と石膏部分及び紙部分の混合部分とに選別し各部分毎に排出する選別機１６と、石膏部分及び紙部分の混合部分をコンベア装置１１まで戻すリターンベルト１７と、作業環境を清浄化するための集塵機２０と、コンベア装置１１へ廃石膏ボードを投入するための廃石膏ボード投入架台２２と、を有しており、破砕機１２が一対のロータ４１、４２から成る破砕手段４０を有しており、これらのロータは互いに隣接して並置し、廃石膏ボードがこれらのロータのニップ部において破砕され、分離機１３が円筒室５１とその中で回転する回転体５２とにより構成されており、
該回転体５２が、中央の回転軸６０と、その長手方向に間隔を置いて配置した突出片６１と、該突出片６１の先端部を連結するように配置された分離刃６２と、により構成されている、廃石膏ボード破砕分別処理装置１０。
【請求項３】
分離刃６２が直線刃物である請求項１または２に記載の廃石膏ボード破砕分別処理装置１０。
【請求項４】
分離刃６２が曲状刃物である請求項１または２に記載の廃石膏ボード破砕分別処理装置１０。
【請求項５】
廃石膏ボ−ド破砕処理装置１０であって、処理されるべき廃石膏ボードを搬送するコンベア１１と、コンベア１１によって運ばれた廃石膏ボードを分断し破砕する破砕機１２と、破砕機１２によって分断し破砕された廃石膏ボード破砕物を更に細かに破砕すると同時に石膏部分と紙部分とを互いに分離する分離機１３と、石膏部分と紙部分とに分離された廃石膏ボード破砕物を石膏部分と紙部分とに選別する選別機１６と、を有し、
破砕機１２が一対のロータ４１、４２から成る破 砕手段４０を有しており、これらのロータは互いに隣接して並置し、廃石膏ボードがこれらのロータのニップ部において破砕され、分離機１３が円筒室５１とその中で回転する回転体５２Ａとにより構成されており、
該回転体５２Ａが、中央の回転軸６０Ａと、該回転軸６０Ａに固定されている複数対の分離刃６２Ａと、により構成されており、各対の分離刃６２Ａが、複数のブレードから形成されており、各ブレードはその中間部が回転軸６０Ａの軸線方向に所定の間隔をおいて、かつ各ブレードを互に等角度だけずらして該回転軸６０Ａへ固着している、廃石膏ボードを破砕し粒度別に分別する廃石膏ボ−ド破砕分別処理装置１０。
【請求項６】
廃石膏ボード破砕処理装置１０であって、処理されるべき廃石膏ボードを搬送するコンベア装置１１と、該コンベア装置１１によって運ばれた廃石膏ボードを分断し破砕する破砕機１２と、破砕機１２によって分断し破砕された廃石膏ボード破砕物を更に細かに破砕すると同時に石膏部分と紙部分とを互いに分離する分離機１３と、石膏部分と紙部分とに分離された廃石膏ボード破砕物を分離機１３から搬出するための別のコンベア装置と、該別のコンベア装置によって搬出された廃石膏ボード破砕物を石膏部分と紙部分と石膏部分及び紙部分の混合部分とに選別し各部分毎に排出する選別機１６と、石膏部分及び紙部分の混合部分をコンベア装置１１まで戻すリターンベルト１７と、作業環境を清浄化するための集塵機２０と、コンベア装置１１へ廃石膏ボードを投入するための廃石膏ボード投入架台２２と、を有しており、破砕機１２が一対のロータ４１、４２から成る破砕手段４０を有しており、これらのロータは互いに隣接して並置し、廃石膏ボードがこれらのロータのニップ部において破砕され、分離機１３が円筒室５１とその中で回転する回転体５２Ａとにより構成されており、
該回転体５２Ａが、中央の回転軸６０Ａと、該回転軸６０Ａに固定されている複数対の分離刃６２Ａと、により構成されており、各対の分離刃６２Ａが、複数のブレードから形成されており、各ブレードはその中間部が回転軸６０Ａの軸線方向に所定の間隔をおいて、かつ各ブレードを互に等角度だけずらして該回転軸６０Ａへ固着している、廃石膏ボード破砕分別処理装置１０。
【発明の詳細な説明】
【０００１】
【発明の属する技術分野】
本発明は、一般的には産業廃棄物処理装置に関し、より具体的には、廃石膏ボードを破砕し分別して処理する装置に関する。廃石膏ボードの排出量は石膏ボード工業会によれば、１９９９年度には、製造時、建設時、解体時合わせて１６０万４００トン、２０００年度には１７９万４８００トン、２０１０年度には２７２万６２００トンに達するという試算を弾き出している。一方、平成１０年６月から新しい「廃棄物の処理及び清掃に関する法律施行令等の一部を改正する政令」が施行された。その結果、安定型産業廃棄物に係る見直しが図られ、特に廃石膏ボードに関しては、これまでの安定型処分が原則的に出来なくなり全てが管理型処分へ移行され、例外的に紙分を分離した石膏のみが安定型処分が認められるに至っている。
【０００２】
このためこれら廃石膏ボードの処理が関係業界を初め広く廃棄物処理の関係業界において環境汚染の問題と相俟って大きな社会問題となって来ている。
【０００３】
【従来の技術】
従来、廃石膏ボードは上述のように安定型産業廃棄物として、他の同種の産業廃棄物と共に容易に廃棄処理されていた。しかしながら、今回の法改正によりそのような処理が一律には行えなくなった。このため、大量に発生する廃石膏ボードを処分するに際して前処理工程が必要となって来た。例えばあるメーカーは、廃棄処分するための廃石膏ボードを予め破砕し、この破砕状態の廃石膏ボードをロータリーキルンへ投入して紙分を完全焼却するという前処理工程を経た後、不燃焼状態の石膏部分のみを集積にこれを安定型産業廃棄物として処理する方法を発表している。
【０００４】
【発明が解決しようとする課題】
しかしながらこのような前処理工程では、しばしば廃石膏ボードへ混入している防かび防虫薬品（例えばヒ素）等が燃焼時に有害ガスを発生し燃焼工場付近の人々、植物、家畜等を害するという危険があり、かかる前処理工程は周辺大気汚染源となり地域住民の反対を受けている。また安定型処分から管理型処分への移行により廃石膏ボードの処理費用が上昇する傾向にある。加えて既存の最終処分場の容量が今や飽和状態に近づいてきており、新たな処分場の開設には地域住民の同意が得にくいという状況に有る。このため、根本的には廃石膏ボード等を廃棄処分することなく再生資源として使用することが最も望まれるところである。しかしながら今日でもかかる廃石膏ボードの有効なリサイクル方法が確立してはいない現状である。このため、今日では多くの廃石膏ボードは有効な再生方法又は処理方法を待ちながら野積み状態のまま宙に浮いているという状態である。
【０００５】
【課題を解決するための手段】
本件発明は、かかる緊急の要求を満たすために創作されたもので、燃焼に伴う化学処理を施すことなく、単純に物理的な処理により、廃石膏ボードを破砕し、石膏部分と紙部分とを分離し、その後それらを別々に即ち石膏部分はリサイクル原料として極めて理想的な状態にて排出すると共に安定型処分により容易に処理可能であり、一方、残った紙部分は管理型処分に回すことにより安全かつ効果的にかつ大量に廃石膏ボードを迅速処分するための装置を提供するものである。
【０００６】
【発明の実施の形態】
図１は本件発明の第１実施例に関する全体立面図であり、図２はその平面図である。本件発明にかかる廃石膏ボード処理装置１０は、処理されるべき廃石膏ボードを搬送する第１コンベア１１と、第１コンベア１１によって運ばれた廃石膏ボードを分断し破砕する破砕機１２と、破砕機１２によって分断し破砕された廃石膏ボード破砕物を更に細かに破砕すると同時に石膏部分と紙部分とを互いに分離する分離機１３と、石膏部分と紙部分とに分離された廃石膏ボード破砕物を分離機１３から搬出するための第２コンベア１４及び第３コンベア１５と、第３コンベア１５によって搬出された廃石膏ボード破砕物を石膏部分と紙部分とに分別しかつ粒径毎に選別する選別機１６と、石膏部分と紙部分との分離が不十分で十分な選別が出来ない廃石膏ボード破砕物を第１コンベア１１まで戻すリターンベルト１７と、選別機１６によって微粉末部分として選別された石膏粉末を搬出する第４コンベア１８と、同様に選別機１６によって紙部分として選別された石膏ボードの紙部分を搬出する第５コンベア１９と、作業環境を清浄化するための集塵機２０と、当該装置１０の作業全体を制御する制御盤２１と、第１コンベア１１へ廃石膏ボードを投入するための廃石膏ボード投入架台２２と、を有している。ここにおいて、処理されるべき廃石膏ボードには、石膏ボード製造工場等において石膏ボード製造時に発生するような廃石膏ボード、家屋等に現実に使用する際の建設時に発生するような廃石膏ボード、更には家屋等を解体した際に発生するような使用済みの廃石膏ボード等を含む。
【０００７】
第１コンベア１１は、例えば公知の中寄ベルトから成るゴム製コンベアであり、一端部から他端部に向け上方へ向かって傾斜配置されている。低い位置にある一端部付近には廃石膏ボードを一時的にストックしそこから当該廃石膏ボードを第１コンベア１１へ供給する廃石膏ボード投入架台２２が配置されている。
【０００８】
第１コンベア１１は、石膏ボード製造工場、家屋等の新築現場、更には解体業者等から搬入される例えば１辺が３００ｍｍ〜５００ｍｍ程度の廃石膏ボードを破砕機１２へ供給する機能を有している。もし搬入された廃石膏ボード破砕物の寸法がこれよりも大きいときには、当該廃石膏ボード破砕物を予め所定の寸法になるように破砕して置くことが好ましい。
【０００９】
第１コンベア１１の上方他端部は図３〜図５に示す破砕機１２へ接続されており、第１コンベア１１によって供給される廃石膏ボードは順次破砕機１２内部へ送給される。破砕機１２は、第１コンベア１１の他端部を受け入れている廃石膏ボード受け入れ室３１と、廃石膏ボード受け入れ室３１の下方にあり受け入れた廃石膏ボードを破砕する破砕室３２と、によって構成されている。
【００１０】
上方の廃石膏ボード受け入れ室３１は、第１コンベア１１の他端部を受け入れている廃石膏ボード受け入れ開口３３と、石膏ボード受け入れ室３１内へ受け入れた廃石膏ボードをそのままの状態で下方の破砕室３２へ供給する廃石膏ボード供給開口３４と、を有している。廃石膏ボード受け入れ室３１は、内部へ廃石膏ボードが堆積しないように該受け入れ室３１の側壁下方部が傾斜面構造となっている。また廃石膏ボード受け入れ開口３３には、図５に示すように、例えばゴム製、厚布製又は厚いプラスチック製の垂れ３５が開口上部から懸吊されている。この垂れ３５は複数の細片状に分断された垂下部を有しており、コンベア１１へ載った廃石膏ボードが触れた時には容易に廃石膏ボード受け入れ室３１の内部方向へ押し込まれ、該廃石膏ボードを受け入れ室３１内部へ受け入れるが、破砕室３２において破砕された被破砕物が何らかの理由で当該受け入れ開口３３へ飛散してきたときには、該飛散物が当該垂れ３５に衝突して該飛散物がそこから破砕機１２の外部へ流出することを防止している。なお、該受け入れ室３１の少なくとも１つの側壁面には、図４に示すように、必要に応じて解放可能な開閉部材３６が設けてあり、受け入れ室３１の内部の保守点検等を容易に行えるようにしている。
【００１１】
破砕室３２は、廃石膏ボードを破砕するための空間である。上方は受け入れ室３１の廃石膏ボード供給開口３４へ解放しており、第１コンベア１１によって受け入れ室３１内へ受け入れられた廃石膏ボードをそこから順次破砕室３２へ落下供給する。下方には当該破砕室３２内において破砕された廃石膏ボードを分離機１３へ供給するための開口３７が形成されている。破砕室３２内には受け入れ室３１から供給された廃石膏ボードを破砕するための破砕手段４０が設けてある。
【００１２】
この破砕手段４０は、図４に示すように、互いに平行をなしかつ所定の間隔をおいて配置されている回転軸線を有する一対のロ−タ４１、４２により構成されている。各ロ−タ４１、４２は、図３、図５に示すように、当該ロータの長手方向にスペーサ等の離置手段（図示なし）によりそれぞれ一定の間隔を置いて配置されている複数のブレード４３、４４を有している。各ロ−タ４１、４２を構成しているこれらのブレード４３、４４は互いに衝突しないよう交互に所定の間隔を置いて咬合っている。更に、実施例においては、各ブレード４３、４４の中央部がそれぞれロータ４１、４２の中央回転軸へ対して固定的に配置されかつ当該中央部から半径方向外方へ直線的に伸びており、更に隣接するブレードが回転方向へ互いに６０°の間隔を置いて配置されている。しかし、これらのロータの幅方向間隔又はロータの長手方向軸線方向に対するブレードの長手方向間隔、更にはブレードの回転方向に対する回転方向間隔等は、廃石膏ボードの破砕寸法を特定する重要な要素となっている。このため、例えば、ブレードの長さ、これらの間隔又は角度等は、廃石膏ボードの破砕寸法に応じて自由に調整できるようなっていることが望ましく、また、各ブレードが摩耗又は破損した場合に、所望のブレードを容易に取り替えることが出来るように、ブレードはボルト等の取り外し可能な締め付け手段により取り付けられていることが望ましい。
【００１３】
破砕室３２内において破砕手段４０の上方位置には、廃石膏ボード供給開口３４から供給される廃石膏ボードをロータ４１とロータ４２との中間ニップ部位置へ供給するための一対の上方案内板４５が取り付けてある。同様に、破砕手段４０の下方位置には破砕手段４０によって破砕された廃石膏ボードを開口３７へ指向するための一対の下方案内板４６が取り付けてある。これにより破砕手段４０によって破砕された廃石膏ボードが当該破砕室３２内へ堆積することのないようにしている。勿論、破砕室３２の形状を初めからこれらの案内板４５、４６を備えたような構造に形成することによりこれらの案内板４５、４６は削除することは可能である。破砕室３２の外側部には前記ロータ４１、４２を回転するための電動モーター等の起動装置４７、４８が設けてあり、これらの起動装置はロータ４１、４２を、それぞれ図４において、矢印４９、５０で示す方向に回転している。ここで、ロータ４１、４２は互いに異なる回転数で回転することが好ましい。例えば、ロータ４１の回転数は１５００ｒｐｍであり、ロータ４２の回転数は１０００ｒｐｍである。回転数の差が大きくなると破砕機能が増大するが、ブレードの摩耗が増大するので、概ね上記したような回転数が実用的であるものと思われる。
【００１４】
破砕機１２の下方には分離機１３が配置されており、破砕機１２によって破砕された廃石膏ボードの破砕物は次いで分離機１３へ送られる。分離機１３は、図６、図７及び図８に示すように、概ね円筒形状を有しかつ傾斜配置されている円筒室５１と、該円筒室５１と同軸をなして当該円筒室内に配置されておりかつ当該円筒室内にて回転する回転体５２と、傾斜している円筒室５１の上方端部を閉じている上方閉鎖部材５３と、円筒室５１の下方端部を閉じている下方閉鎖部材５４と、回転体５２を回転するための電動モーター等の起動装置５５と、円筒室５１を水平面に対して概ね２０〜４５度の角度に傾斜保持している保持台５６と、により構成されている。円筒室５１は、上方位置に破砕機１２の開口３７に接触配置しているホッパ−５７と、下方位置に当該円筒室５１内にて処理された廃石膏ボード破砕物を放出する排出開口５８と、を有している。
【００１５】
回転体５２は、中央の回転軸６０と、その両端に近接した位置から半径方向外方へ向かって一定の間隔をおいて互いに直角に伸びている十字形をなす一対の突出片６１と、前記回転軸６０の軸線方向へ対して平行に伸び該突出片６１の先端部へ端部が固定されている４枚の分離刃６２と、により構成されている。分離刃６２の外縁部が形成する回転体５２の最大回転直径は、円筒室５１の内壁面直径よりも僅かに小さく、分離刃６２は、円筒室５１内にて僅かな間隔をおいて自由に回転出来る状態となっている。
【００１６】
回転軸６０はその両端部がそれぞれ上方閉鎖部材５３及び下方閉鎖部材５４の中央部に設けた穴を介して円筒室５１の外方まで伸び、上方閉鎖部材５３及び下方閉鎖部材５４へねじ止めされている軸受６３、６４によって回転可能に保持されている。この回転軸６０の下方の端部には起動装置５５（図６及び図７参照）によりＶベルト等（図示なし）を介して起動されるプーリー６５（図７参照）が取り付けてあり、こうして回転体５２が回動自在となっている。なお、図示の例においては、分離刃６２が直刃となっているが、これは必要に応じて曲刃とすることも出来る。それにより、分離機１３の取り付けを水平にすることが可能となり、取り付けが容易となる。なおこの場合、一対の突出片６１の位置が回転軸６０へ対して捩れた位置へ配置されることになる。また、分離刃６２の数は４枚に限定されるものではなく、それより少なくても又は多くても良い。
【００１７】
図９は、図８に示す分離機１３の、特に、回転体５２の変形例について示している。図９に示す実施例においては、図８に示す装置と同一部品に対しては図８に使用した符号にＡを付して示している。図９に示す実施例が図８に示す実施例と異なる点は回転体５２Ａの構造である。この実施例においては、回転体５２Ａ中央の回転軸６０Ａと、該回転軸６０Ａに固定されている複数対（図９の実施例においては５対を示している）の分離刃６２Ａと、により構成されている。各対の分離刃６２Ａは、図９の実施例においてはそれぞれ３枚のブレードから形成されている。各ブレードはその中間部が回転軸６０Ａの軸線方向に所定の間隔をおいて、かつ各ブレードを互に等角度（図９の実施例においては１２０度）だけずらして該回転軸６０Ａへ固着している。ここで、図示の例は単なる例示であり、分離刃６２Ａが５対に限定されるものではなく、また各対を構成しているブレードの数も３枚に限定されるものでもない。分離刃６２Ａの外縁部が形成する回転体５２Ａの最大回転直径は、円筒室５１Ａの内壁面直径よりも僅かに小さく、分離刃６２Ａは、円筒室５１Ａ内にて僅かな間隔をおいて自由に回転出来る状態となっている。
【００１８】
回転軸６０Ａはその両端部がそれぞれ上方閉鎖部材５３Ａ及び下方閉鎖部材５４Ａの中央部に設けた穴を介して円筒室５１Ａの外方まで伸び、上方閉鎖部材５３Ａ及び下方閉鎖部材５４Ａへねじ止めされている軸受６３Ａ、６４Ａによって回転可能に保持されている。この回転軸６０Ａの下方の端部には、前述と同様に、起動装置５５（図６及び図７参照）によりＶベルト等（図示なし）を介して起動されるプーリー６５（図７参照）が取り付けてあり、こうして回転体５２Ａが回動自在となっている。なお、図示の例においては、各分離刃６２Ａが直刃となっているが、これは必要に応じて曲刃とすることも出来る。それにより、分離機１３の取り付けを水平にすることが可能となり、取り付けが容易となる。
【００１９】
破砕機１２によって破砕された廃石膏ボード破砕物は分離機１３、１３Ａのホッパ５７、５７Ａから円筒室５１，５１Ａ内へ送られる。円筒室５１，５１Ａ内へ投入された廃石膏ボード破砕物は該円筒室５１，５１Ａ内にて回転体５２，５２Ａの分離刃６２，６２Ａによって回転される。この回転に際して廃石膏ボード破砕物の一部は円筒室５１，５１Ａの内方側壁面に擦り付けられ、かつ紙部分に付着している石膏の塊がそぎ落とされ、また一部は円筒室５１，５１Ａの内方側壁面に叩き付けられながら、順次円筒室５１，５１Ａの上方から下方へと移動する。廃石膏ボード破砕物が繰り返し擦り付けられたり叩き付けられたりしている間に破砕物中の石膏部分と紙部分とがほぼ完全に分離されると同時に、石膏部分がリサイクル可能な寸法まで破砕される。発明者の実験によれば、石膏部分と紙部分とを分離しかつ石膏部分を再生可能な寸法まで破砕するための回転体の好ましい回転数は１０００〜２０００ｒｐｍ程度であることが分かっている。また、突出片６１又はブレードの半径方向寸法と円筒室５１、５１Ａの半径寸法、分離機１３，１３Ａの傾斜角度、回転体５２，５２Ａの回転速度等を適宜調整することにより、石膏部分の破砕寸法を調整することが出来、リサイクル品としての分離した石膏の最終ユーザーの好みに応じた石膏部分の生産が可能である。
【００２０】
円筒室５１，５１Ａ内で回転体５２，５２Ａにより石膏部分と紙部分とに分離された廃石膏ボード破砕物は排出開口５８，５８Ａから排出され、次いで第２コンベア１４及び第３コンベア１５を介して選別機１６まで送られる。第２コンベア１４及び第３コンベア１５は、第１コンベア１１と同様に例えば公知の中寄ベルトから成るゴム製コンベアである。なお、図示の例において、第２コンベア１４と第３コンベア１５とは互いに直角に配置されているが、これは限定的な事項ではない。
【００２１】
選別機１６は、図１０に示すように、上方にある複数の選別室７０と、下方にある振動起動装置７１と、により構成されており、廃石膏ボード破砕物を当該破砕物から分離された紙部分と、当該破砕物から分離された石膏部分と、石膏部分と紙部分との未分離部分と、に選別する機能を有している。各選別室７０は上から下へ行くに従い順次メッシュ寸法が小さくなる篩が張られている底床部を有しており、当該選別室７０が巻きばね及びモータ等から成る振動起動装置７１によって上下方向へ振動している。この選別機１６は、食品の選別機構、籾擦り機の選別機構等に使用されていると同様の振動式の篩機と類似する機構を有しており、当業者に知られているものであるため、詳述は省略する。
【００２２】
図示の選別機１６において、選別室７０の中央上部には前記第３コンベア１５により搬送されて来る破砕物を受け入れる開口部７２が設けてある。開口部７２から供給された破砕物は最上段の選別室へ入りそこで振動起動装置７１によって篩分けされ、順次下段へ落下しながら更に篩分けされる。例えば最上段の選別室の篩のメッシュが概ね１０ｍｍ、次の段の篩のメッシュが概ね５ｍｍ、その下の篩のメッシュが概ね１ｍｍとする、例えば３段の篩から構成されることが出来る。しかして、軽量でかつ最上段の篩を通り抜けなかった概ね１０ｍｍ以上の寸法を有する破砕物は実質的に紙部分であり、こうして分別された紙部分は公知の手段によって第１選別室７０Ａの排出部７０ａから第５コンベア１９（図２）を介しては例えば可撓性の容器７５へ収容される。その後、該容器７５へ収容された紙部分は管理型処分場へ搬出されそこで処理される。
【００２３】
また、第２選別室７０Ｂ内へ落下したが、それ以上下方へ移動しないような寸法的には５〜１０ｍｍ程度の大きさを有している破砕物は実質的に、紙部分と石膏部分とが一体化した部分で、換言すると、石膏部分が紙部分から未だ分離していない状態の物である。そこで第２選別室７０Ｂにおいて分別された未分離部分は公知の手段によって第２選別室７０Ｂの排出部７０ｂからリターンコンベア１７を介して第１コンベアへ戻され、これまでと同様の処置を再度経ることとになる。
【００２４】
次いで第３選別室７０Ｃ内へ落下したが、それ以上下方へ移動しないような寸法的には１〜５ｍｍの大きさを有している破砕物は実質的に、石膏粒部分である。そこで第３選別室７０Ｃにおいて分別されたこの石膏粒部分は第３選別室７０Ｃの排出部７０ｃから直接容器へ充填して系外へ運び、リサイクル原料として使用する。
【００２５】
更に第４選別室７０Ｄ内へ落下した、寸法的に１ｍｍ以下の大きさを有している破砕物は実質的に、石膏粉部分である。この石膏粉部分は排出部７０ｄから第４コンベア１８を介して容器７６へ充填し系外へ運び、同様にリサイクル原料として使用する。
【００２６】
選別室７０の数、選別寸法即ちメッシュ寸法、選別後の運搬方法等は、適宜変更することが出来ることは当然である。
なお、廃石膏ボード中に、釘やボルト等の金属片が混入していることがあるが、これに対応するため、必要に応じて、例えば図２のコンベア１８、１９等に公知の金属片除去装置を設置したり、コンベア自体を磁選コンベアとすることが出来る。
【００２７】
図１１及び図１２に示す実施例は、スペースの関係上、図１に示す第２コンベア１４を削除した廃石膏ボード処理装置に関する実施例を示しているそれぞれ全体立面図及びその平面図である。この実施例において使用されている各装置の構成作用等は、図１〜図１０に示す実施例において述べたものと同一であるので以下においては同一の装置には同一の符号に"１００"を付加した符号を付してこの実施例の作動について説明する。
【００２８】
図１１に示す廃石膏ボード処理装置１００は、処理されるべき廃石膏ボードを搬送する第１コンベア１１１と、第１コンベア１１１によって運ばれた廃石膏ボードを分断し破砕する破砕機１１２と、破砕機１１２によって分断し破砕された廃石膏ボード破砕物を更に細かに破砕すると同時に石膏部分と紙部分とを互いに分離する分離機１１３，１１３Ａと、石膏部分と紙部分とに分離された廃石膏ボード破砕物を分離機１１３，１１３Ａから搬出するためのコンベア１１５と、コンベア１１５によって搬出された廃石膏ボード破砕物を石膏部分と紙部分とに分別しかつ粒径毎に選別する選別機１１６と、作業環境を清浄化するための集塵機１２０と、当該装置１１０の作業全体を制御する制御盤１２１と、を有している。また、選別された紙部分、石膏部分、紙部分と石膏部分との混合体部分はそれぞれ選別機１１６の排出部から直接容器へ収容されている。勿論この実施例において、石膏部分と紙部分との分離が不十分で十分な選別が出来ていない廃石膏ボード破砕物を第１コンベア１１１まで戻すリターンベルト（図１における符号１７参照）や、選別機１１６によって選別された石膏粉末等を搬出する補助コンベア（図１における符号１８参照）や、同様に選別機１１６によって紙部分として選別された石膏ボードの紙部分を搬出する補助コンベア（図１における符号１９参照）、更には第１コンベア１１１の低い位置にある一端部付近に廃石膏ボードを一時的にストックしそこから当該廃石膏ボードを供給する廃石膏ボード投入架台（図１における符号２２参照）等を備えることは自由である。
【００２９】
図１１及び図１２に示す廃石膏ボード処理装置が図１〜図１０に示す廃石膏ボード処理装置と異なる点は、実質的には破砕物を分離機１１３，１１３Ａから選別機１１６へ搬送するコンベアが単一のコンベアによって構成されており、そのためスペースがそれだけ少なくて済むという点である。
【００３０】
これらの実施例において、第１コンベア１１１及び破砕機１１２は、石膏ボード製造工場、家屋等の新築現場、更には解体業者等から搬入される例えば１辺が３００ｍｍ〜５００ｍｍ程度の廃石膏ボードを受け入れる機能を有している。もし搬入された廃石膏ボード破砕物の寸法がこれよりも大きいときには、当該廃石膏ボード破砕物を予め所定の寸法になるように粗割しておくことが望ましい。なお、このような粗割作業を自動的に行うために、図２に示すような廃石膏ボード投入架台２２又はその付近に粗割専用のそれ自体公知の粗割破砕機を設けることも出来る。
【００３１】
更に、廃石膏ボード中に、釘やボルト等の金属片が混入していることがある。そのため、必要に応じて、例えば図２のコンベア１８、１９等に公知の金属片除去装置を設置したり、コンベア自体を磁選コンベアとすることが出来る。
【００３２】
図１３及び図１４は、図１１及び図１２に示す実施例を更に改良した実施例を示しているそれぞれ全体立面図及びその平面図である。この実施例において使用されている各装置の構成作用等は、実質的に図１〜図１０に示す実施例において述べたものと同一であるので以下においては同一の装置には同一の符号に"２００"を付加した符号を付してこの実施例の作動について説明する。
【００３３】
図１３に示す廃石膏ボード処理装置２１０は、処理されるべき廃石膏ボードを搬送する第１コンベア２１１と、第１コンベア２１１によって運ばれた廃石膏ボードを分断し破砕する破砕機２１２（一対のロ−タとこれらを駆動する一対の起動源及びベルトとによって示している）と、破砕機２１２によって破砕し分断された廃石膏ボード破砕物を更に細かに破砕すると同時に石膏部分と紙部分とを互いに分離する分離機２１３（２１３Ａ）と、石膏部分と紙部分とに分離された廃石膏ボード破砕物を分離機２１３（２１３Ａ）から搬出するためのコンベア２１５と、コンベア２１５によって搬出された廃石膏ボード破砕物を石膏部分と紙部分とに分別しかつ粒径毎に選別する選別機２１６と、作業環境を清浄化するための集塵機２２０と、当該装置２１０の作業全体を制御する制御盤（図示なし）と、を有している。選別された紙部分、石膏部分、紙部分及び石膏部分の混合体部分はそれぞれ選別機２１６の排出部から石膏細粒用容器２１６ａ、石膏紙屑混入物用容器２１６ｂ及び紙屑用容器２１６ｃへ直接収容されている。勿論この実施例において、石膏部分と紙部分との分離が不十分で十分な選別が出来ていない廃石膏ボード破砕物を第１コンベア２１１まで戻すリターンベルト（図１における符号１７参照）や、選別機２１６によって選別された石膏粉末等を収容するフレキシブル容器である石膏微細粒収容コンテイナ−２１６Ａまで搬出する補助コンベア（図１における符号１８参照）や、同様に選別機１６によって紙部分として選別された石膏ボードの紙部分を搬出する補助コンベア（図１における符号１９参照）、更には第１コンベア２１１の低い位置にある一端部付近に廃石膏ボードを一時的にストックしそこから当該廃石膏ボードを供給する廃石膏ボード投入架台（図１における符号２２参照）等を備えることは自由である。
【００３４】
図１３及び図１４に示す廃石膏ボード処理装置２１０が図１〜図１０に示す廃石膏ボード処理装置１０及び図１１及び図１２に示す廃石膏ボード処理装置１１０と異なる点は、排出コンベア２１５がマグネットプ−リ−付きの中寄ベルトを使用することにより石膏ボ−ド端材中の金属屑を分離しこれらを公知の排出手段２８０を介して鉄屑収容箱２８１内へ排出すること、選別機２１６として遠心力及び多段篩分け機構を併用してお茶の選別に広く使用されている公知の廻し篩機を使用し石膏及び紙屑等を平面的に分別していることである。このことは図１０に示す様な多段式の選別機と異なり、分別作業が短時間で確実に達成することが可能となる利点ががる。
【００３５】
これらの実施例において、第１コンベア１１及び破砕機１２は、石膏ボード製造工場、家屋等の新築現場、更には解体業者等から搬入される例えば１辺が３００ｍｍ〜５００ｍｍ程度の廃石膏ボードを受け入れる機能を有している。もし搬入された廃石膏ボード破砕物の寸法がこれよりも大きいときには、前述のように当該廃石膏ボード破砕物を予め所定の寸法になるように粗割しておくことが望ましい。なお、このような粗割作業を自動的に行うために、廃石膏ボード投入架台２２又はその付近に粗割専用のそれ自体公知の粗割破砕機を設けることが出来ることは既に述べたとおりである。
【００３６】
図１５及び図１６は更に別の実施例を表わす装置３００を示す。図１５に示す第４実施例は第１の実施例における選別機１６を分離機１３の下方位置へ直接配置し、更に選別された石膏粉部分を搬出するコンベア１８を備えている状態を示している。また図１６は、装置全体を公知のトラック等の移動手段９０へ積載した形式の廃石膏ボード処理装置４００について開示している。この実施例によれば、廃石膏ボード処理装置を設置した専用の処理工場を必要とすることがなく、必要に応じて移動し、どこでもいつでも簡単に廃石膏ボードを処理することが出来、また、最終リサイクル品の使用場所で直接廃石膏ボードを処理するということも可能である。これらの実施例において使用されている各装置の構成作用等は、図１〜図１０に示す実施例において述べたものと実質的にほぼ同一であり、詳述はしない。
【００３７】
【発明の効果】
本件発明は、年々増大する廃石膏ボードを、紙部分と、石膏部分と、に分離選別することが出来る。このため、紙部分は管理型処分場で処理し、石膏部分は例えばセメントの原料素材、路盤材、汚泥処理のための固形化材料として有効にリサイクルしたり、安定型処分場での処理が可能となる。このため、本発明によれば平成１０年６月から施行の「廃棄物の処理及び清掃に関する法律施行令等の一部を改正する政令」の要件を満たし、容易に廃石膏ボードの処理が達成出来るものである。
【００３８】
更に本発明によれば、これまでの廃石膏ボードを一括焼却処分することによる大気汚染の問題を完全に解消している。
【図面の簡単な説明】
【図１】本件発明の廃石膏ボード処理装置の第１実施例を示す全体側面図である。
【図２】図１に示す装置の全体平面図である。
【図３】図１に示す破砕機の上面図である。
【図４】図３の側面図である。
【図５】図１に示す破砕機の正面図である。
【図６】図１に示す分離機の正面図である。
【図７】図６の側面図である。
【図８】分離機の分解斜視図である。
【図９】分離機の別の実施例を示す分解斜視図である。
【図１０】図１に示す選別機の一部断面にて示す側面図である。
【図１１】本件発明の廃石膏ボード処理装置の第２実施例を示す全体側面図である。
【図１２】図１１に示す装置の全体平面図である。
【図１３】本件発明の廃石膏ボード処理装置の第３実施例を示す全体側面図である。
【図１４】図１３に示す装置の全体平面図である。
【図１５】本件発明の廃石膏ボード処理装置の第４実施例を示す全体側面図である。
【図１６】本件発明の廃石膏ボード処理装置の第５実施例を示す全体側面図である。
【符号の説明】
１０：廃石膏ボード処理装置      １１：第１コンベア
１２：破砕機                    １３、１３Ａ：分離機
１４：第２コンベア              １５：第３コンベア
１６：選別機                    １７：リターンコンベア
１８：第４コンベア              １９：第５コンベア
２０：集塵機                    ２１：制御盤
２２：廃石膏ボード投入架台      ３１：受け入れ室
３２：破砕室                    ３３：廃石膏ボード受け入れ開口
３４：廃石膏ボード供給開口      ３５：垂れ
３６：開閉部材                  ３７：開口
４０：破砕手段                  ４１、４２：ロータ
４３、４４：ブレード            ４５、４６：案内板
４７、４８：起動装置            ５１、５１Ａ：円筒室
５２、５２Ａ：回転体            ５３、５３Ａ、５４、５４Ａ：閉鎖部材
５５：起動装置                  ５６：保持台
５７、５７Ａ：ホッパ            ５８、５８Ａ：排出開口
６０、６０Ａ：回転軸            ６１：突出片
６２、６２Ａ：分離刃            ６３、６４：軸受
６５：プーリー                  ７０：選別室
７１：振動起動装置              ７２：開口部
７５、７６：容器
【図１】
0003831552.tif 000002
【図２】
0003831552.tif 000003
【図３】
0003831552.tif 000004
【図４】
0003831552.tif 000005
【図５】
0003831552.tif 000006
【図６】
0003831552.tif 000007
【図７】
0003831552.tif 000008
【図８】
0003831552.tif 000009
【図９】
0003831552.tif 000010
【図１０】
0003831552.tif 000011
【図１１】
0003831552.tif 000012
【図１２】
0003831552.tif 000013
【図１３】
0003831552.tif 000014
【図１４】
0003831552.tif 000015
【図１５】
0003831552.tif 000016
【図１６】
0003831552.tif 000017